(57)【要約】  【課題】  使用国や電力会社等の使用地域に対応した系統連系装置の設定値を設定する設定操作は非常に手間がかかる。  【解決手段】  各系統保護に関わる設定値を設定する設定値設定部３２と、この設定された設定値に基づいて、各系統保護を制御する制御部３４とを有する系統連系装置４であって、国毎に、系統保護に関わる設定値を予め記憶した国別設定値管理テーブル１６Ａと、国コード入力部１９及びＧＰＳ受信部１８を通じて系統連系装置の使用国を識別する国コード識別部３１とを有し、設定値設定部３２は、国コード識別部３１にて国コードを識別すると、この国コードに対応した、系統保護に関わる設定値を国別設定値管理テーブルから読み出し、この読み出した設定値を制御部３４に設定するようにした。【選択図】  図３
2005057943.tif 000002
【特許請求の範囲】
【請求項１】
各系統保護に関わる設定値を設定する設定手段と、この設定手段にて設定された設定値に基づいて、各系統保護を制御する制御手段とを有する系統連系装置であって、
地域毎に、前記系統保護に関わる設定値を予め記憶した記憶手段と、
前記系統連系装置自体の現在地域を識別する地域識別手段とを有し、
前記設定手段は、
前記地域識別手段にて前記系統連系装置自体の現在地域を識別すると、この現在地域に対応した、前記系統保護に関わる設定値を前記記憶手段から読み出し、この読み出した設定値を設定することを特徴とする系統連系装置。
【請求項２】
地域データを入力する入力手段を有し、
前記地域識別手段は、
前記入力手段にて地域データを入力すると、この地域データを前記系統連系装置自体の現在地域として識別することを特徴とする請求項１記載の系統連系装置。
【請求項３】
到来するＧＰＳデータから地域データを検出するＧＰＳ受信手段を有し、
前記地域識別手段は、
前記ＧＰＳ受信手段にて地域データを検出すると、この地域データが、前記入力手段にて入力した地域データと同一であるか否かを判定する地域データ判定手段と、
この地域データ判定手段にて同一でないと判定されると、警報情報を出力する警報出力手段とを有することを特徴とする請求項２記載の系統連系装置。
【請求項４】
到来するＧＰＳデータから地域データを検出するＧＰＳ受信手段を有し、
前記地域識別手段は、
前記ＧＰＳ受信手段にて地域データを検出すると、この地域データを前記系統連系装置自体の現在地域として識別することを特徴とする請求項１記載の系統連系装置。
【請求項５】
系統側コンセントとのアダプタ接続を通じて地域データを検出する地域データ検出手段を有し、
前記地域識別手段は、
前記地域データ検出手段にて地域データを検出すると、この地域データを前記系統連系装置自体の現在地域として識別することを特徴とする請求項１記載の系統連系装置。
【請求項６】
系統連系装置内部の系統保護を制御するための設定値を、前記系統連系装置に設定する系統連系装置用設定装置であって、
前記系統連系装置と通信接続する通信接続手段と、
地域毎に、各系統保護に関わる設定値を予め記憶した記憶手段と、
前記系統連系装置自体の現在地域を識別する地域識別手段と、
この地域識別手段にて前記系統連系装置自体の現在地域を識別すると、この現在地域に対応した、前記系統保護に関わる設定値を前記記憶手段から読み出し、この読み出した設定値を、前記通信接続手段を通じて前記系統連系装置に設定する設定手段とを有することを特徴とする系統連系装置用設定装置。
【請求項７】
地域データを入力する入力手段を有し、
前記地域識別手段は、
前記入力手段にて地域データを入力すると、この地域データを前記系統連系装置自体の現在地域として識別することを特徴とする請求項６記載の系統連系装置用設定装置。
【請求項８】
到来するＧＰＳデータから地域データを検出するＧＰＳ受信手段を有し、
前記地域識別手段は、
前記ＧＰＳ受信手段にて地域データを検出すると、この地域データが、前記入力手段にて入力した地域データと同一であるか否かを判定する地域データ判定手段と、
この地域データ判定手段にて同一でないと判定されると、警報情報を出力する警報出力手段とを有することを特徴とする請求項７記載の系統連系装置用設定装置。
【請求項９】
到来するＧＰＳデータから地域データを検出するＧＰＳ受信手段を有し、
前記地域識別手段は、
前記ＧＰＳ受信手段にて地域データを検出すると、この地域データを前記系統連系装置自体の現在地域として識別することを特徴とする請求項６記載の系統連系装置用設定装置。
【請求項１０】
系統側コンセントとのアダプタ接続を通じて地域データを検出する地域データ検出手段を有し、
前記地域識別手段は、
前記地域データ検出手段にて地域データを検出すると、この地域データを前記系統連系装置自体の現在地域として識別することを特徴とする請求項６記載の系統連系装置用設定装置。
【請求項１１】
各系統保護を制御するための設定値を設定し、この設定値に基づいて、各系統保護を制御する系統連系装置の設定値設定方法であって、
地域毎に、前記系統保護に関わる設定値を予め記憶しておき、前記系統連系装置の現在地域を識別すると、この現在地域に対応した、前記系統保護に関わる設定値を読み出し、この読み出した設定値を設定するようにしたことを特徴とする系統連系装置の設定値設定方法。
【発明の詳細な説明】
【技術分野】
【０００１】
本発明は、交流系統（商用電源）との連系運転等を保護する連系保護値等の設定値を、国や電力会社等の地域毎に設定する機能を備えた系統連系装置及び、その系統設定装置の設定値設定方法と、地域毎に対応した設定値を系統連系装置に遠隔設定する機能を備えた系統連系装置用設定装置に関する。
【背景技術】
【０００２】
従来、このような系統連系装置としては、交流系統の商用電源と連系運転し、例えば太陽電池等の直流電源から入力された直流電力を、商用電源と同一品質の交流電力に変換し、この交流電力を負荷に供給すると共に、この負荷に供給する交流電力が負荷の消費電力を超えたときに商用電源に電力を逆潮流するインバータ回路と、このインバータ回路の出力を開閉するリレースイッチと、インバータ回路の出力電圧や出力周波数等を検出し、この検出結果に基づいてリレースイッチを開閉制御する制御回路とを有している（例えば特許文献１参照）。
【０００３】
このような従来の系統連系装置によれば、インバータ回路の出力電圧や出力周波数等を検出し、例えば出力電圧が基準値（設定値）以上となると、その出力電圧が過電圧、すなわち系統連系装置に異常が発生したものと判断し、リレースイッチをＯＦＦ制御することで、系統連系装置と交流系統との接続を遮断することで連系運転を保護することができる。
【０００４】
尚、系統連系装置からの異常な出力による系統への影響を防止するための連系保護値等の設定値は、例えば国や電力会社の規格によって異なるものであり、例えばインバータ回路の出力電圧の最大許容値（ＯＶ）及び最小許容値（ＵＶ）、出力周波数の最大許容値（ＯＦ）及び最小許容値（ＵＦ）、系統インピーダンス感度、絶縁抵抗の検出レベル、整定値、整定時間等の連系保護値や、その使用言語のフォント情報等があげられる。
【０００５】
従って、このような従来の系統連系装置によれば、設定値が国や電力会社の規格によって異なるため、系統連系装置を使用する国や電力会社に対応した設定値を設定する必要がある。
【０００６】
また、従来技術として、系統連系装置の発明ではないがファクシミリ装置の発明に関し、国毎にファクシミリ装置の設定仕様を予め記憶しておき、このファクシミリ装置の使用国に対応した設定仕様を読み出し、この読み出した設定仕様を設定する技術が知られている（例えば特許文献２参照）。
【特許文献１】特開２００１−９５２６３号公報（実施の形態、図１参照）
【特許文献２】特開２００３−８７５４０号公報（実施の形態、図１参照）
【発明の開示】
【発明が解決しようとする課題】
【０００７】
しかしながら、上記従来の系統連系装置によれば、この系統連系装置の製造段階で使用国や使用電力会社に対応した設定値を設定するようにしたので、他の国や電力会社で当該系統連系装置を使用とする場合には、その使用国や使用電力会社に対応した設定値を設定しなおす必要がある。
【０００８】
また、上記従来の系統連系装置によれば、使用国や使用電力会社に対応した設定値を系統連系装置に設定しなおすにしても、これら設定値の設定内容が複雑であるため、その設定操作が非常に面倒である。
【０００９】
また、上記従来のファクシミリ装置によれば、国毎に設定仕様を予め記憶しておき、この使用国に対応した設定仕様を設定するようにした技術内容が開示されているものの、系統連系装置ならではの複雑な要素を装置に設定する技術内容については何等開示されておらず、しかも系統連系装置では、国単位だけでなく、その国内の地域毎にも複雑な要素を設定する必要があるが、このような技術内容についても何等開示されていない。
【００１０】
本発明は上記点に鑑みてなされたものであり、その目的とするところは、使用国や使用電力会社等の使用地域に対応した連系保護値等の設定値を簡単に設定することができる系統連系装置及び、その系統連系装置の設定値設定方法、及び系統連系装置用設定装置を提供することにある。
【課題を解決するための手段】
【００１１】
上記目的を達成するために本発明の系統連系装置は、各系統保護に関わる設定値を設定する設定手段と、この設定手段にて設定された設定値に基づいて、各系統保護を制御する制御手段とを有する系統連系装置であって、地域毎に、前記系統保護に関わる設定値を予め記憶した記憶手段と、前記系統連系装置自体の現在地域を識別する地域識別手段とを有し、前記設定手段は、前記地域識別手段にて前記系統連系装置自体の現在地域を識別すると、この現在地域に対応した、前記系統保護に関わる設定値を前記記憶手段から読み出し、この読み出した設定値を設定するようにした。
【００１２】
本発明の系統連系装置は、地域データを入力する入力手段を有し、前記地域識別手段は、前記入力手段にて地域データを入力すると、この地域データを前記系統連系装置自体の現在地域として識別するようにした。
【００１３】
本発明の系統連系装置は、到来するＧＰＳデータから地域データを検出するＧＰＳ受信手段を有し、前記地域識別手段は、前記ＧＰＳ受信手段にて地域データを検出すると、この地域データが、前記入力手段にて入力した地域データと同一であるか否かを判定する地域データ判定手段と、この地域データ判定手段にて同一でないと判定されると、警報情報を出力する警報出力手段とを有するようにした。
【００１４】
本発明の系統連系装置は、到来するＧＰＳデータから地域データを検出するＧＰＳ受信手段を有し、前記地域識別手段は、前記ＧＰＳ受信手段にて地域データを検出すると、この地域データを前記系統連系装置自体の現在地域として識別するようにした。
【００１５】
本発明の系統連系装置は、系統側コンセントとのアダプタ接続を通じて地域データを検出する地域データ検出手段を有し、前記地域識別手段は、前記地域データ検出手段にて地域データを検出すると、この地域データを前記系統連系装置自体の現在地域として識別するようにした。
【００１６】
また、上記目的を達成するために本発明の系統連系装置用設定装置は、系統連系装置内部の系統保護を制御するための設定値を、前記系統連系装置に設定する系統連系装置用設定装置であって、前記系統連系装置と通信接続する通信接続手段と、地域毎に、各系統保護に関わる設定値を予め記憶した記憶手段と、前記系統連系装置自体の現在地域を識別する地域識別手段と、この地域識別手段にて前記系統連系装置自体の現在地域を識別すると、この現在地域に対応した、前記系統保護に関わる設定値を前記記憶手段から読み出し、この読み出した設定値を、前記通信接続手段を通じて前記系統連系装置に設定する設定手段とを有するようにした。
【００１７】
本発明の系統連系装置用設定装置は、地域データを入力する入力手段を有し、前記地域識別手段は、前記入力手段にて地域データを入力すると、この地域データを前記系統連系装置自体の現在地域として識別するようにした。
【００１８】
本発明の系統連系装置用設定装置は、到来するＧＰＳデータから地域データを検出するＧＰＳ受信手段を有し、前記地域識別手段は、前記ＧＰＳ受信手段にて地域データを検出すると、この地域データが、前記入力手段にて入力した地域データと同一であるか否かを判定する地域データ判定手段と、この地域データ判定手段にて同一でないと判定されると、警報情報を出力する警報出力手段とを有するようにした。
【００１９】
本発明の系統連系装置用設定装置は、到来するＧＰＳデータから地域データを検出するＧＰＳ受信手段を有し、前記地域識別手段は、前記ＧＰＳ受信手段にて地域データを検出すると、この地域データを前記系統連系装置自体の現在地域として識別するようにした。
【００２０】
本発明の系統連系装置用設定装置は、系統側コンセントとのアダプタ接続を通じて地域データを検出する地域データ検出手段を有し、前記地域識別手段は、前記地域データ検出手段にて地域データを検出すると、この地域データを前記系統連系装置自体の現在地域として識別するようにした。
【００２１】
本発明の系統連系装置の設定値設定方法は、各系統保護を制御するための設定値を設定し、この設定値に基づいて、各系統保護を制御する系統連系装置の設定値設定方法であって、地域毎に、前記系統保護に関わる設定値を予め記憶しておき、前記系統連系装置の現在地域を識別すると、この現在地域に対応した、前記系統保護に関わる設定値を読み出し、この読み出した設定値を設定するようにした。
【発明の効果】
【００２２】
上記のように構成された本発明の系統連系装置によれば、地域毎に、系統保護に関わる設定値を記憶手段に予め記憶しておき、系統連系装置自体の現在地域を識別すると、この現在地域に対応した、前記系統保護に関わる設定値を前記記憶手段から読み出し、この読み出した設定値を設定するようにしたので、記憶手段内に地域、例えば国や電力会社に対応した設定値が記憶してあれば、複雑な設定操作を行わなくても、その地域に対応した設定値を系統連系装置に簡単に設定することができる。
【００２３】
また、本発明の系統連系装置によれば、入力手段を通じて地域データを入力すると、この地域データを系統連系装置の現在地域として識別するようにしたので、地域データ、例えば国コードを入力するだけで、この地域、例えば国に対応した設定値を簡単に設定することができる。
【００２４】
本発明の系統連系装置によれば、ＧＰＳ受信手段にて地域データを検出すると、この地域データが、入力手段にて入力した地域データと同一であるか否かを判定し、この地域データが同一でなければ、警報情報を出力するようにしたので、ＧＰＳ（グローバルポジショニングシステム）で得られる地域データが現在地域として認識することを前提にすれば、ユーザは、この警報情報の出力に基づいて、入力手段にて入力した地域データが現在地域とは違っていることを認識することができる。
【００２５】
本発明の系統連系装置によれば、ＧＰＳ受信手段にて地域データを検出すると、この地域データを前記系統連系装置自体の現在地域として識別するようにしたので、ＧＰＳを通じてＧＰＳデータを受信するだけで、この地域、例えば国に対応した設定値を簡単に自動設定することができる。
【００２６】
本発明の系統連系装置によれば、系統側コンセントとのアダプタ接続を通じて地域データを検出すると、この地域データを系統連系装置自体の現在地域として識別するようにした、つまり国毎にコンセントの嵌合面形状の規格が異なるため、この規格を利用して現在地域、例えば現在国を識別するようにしたので、系統側コンセントとアダプタ接続するだけで、この地域、例えば国に対応した設定値を簡単に設定することができる。
【００２７】
本発明の系統連系装置用設定装置によれば、この系統連系装置と通信接続し、この系統連系装置の現在地域に対応した設定値を読み出し、この読み出した設定値を系統連系装置に設定するようにしたので、系統連系装置内部に使用地域に対応した設定値を設定する機能を設けなくても、簡単な操作で系統連系装置に使用地域に対応した設定値を遠隔設定することができる。
【００２８】
本発明の系統連系装置用設定装置によれば、入力手段を通じて地域データを入力すると、この地域データを系統連系装置の現在地域として識別するようにしたので、地域データ、例えば国コードを入力するだけで、この地域、例えば国に対応した設定値を簡単に遠隔設定することができる。
【００２９】
本発明の系統連系装置用設定装置によれば、ＧＰＳ受信手段にて地域データを検出すると、この地域データが、入力手段にて入力した地域データと同一であるか否かを判定し、この地域データが同一でなければ、警報情報を出力するようにしたので、ＧＰＳで得られる地域データが現在地域として認識することを前提にすれば、ユーザは、この警報情報の出力に基づいて、入力手段にて入力した地域データが現在地域とは違っていることを認識することができる。
【００３０】
本発明の系統連系装置用設定装置によれば、ＧＰＳ受信手段にて地域データを検出すると、この地域データを前記系統連系装置自体の現在地域として識別するようにしたので、ＧＰＳを通じてＧＰＳデータを受信するだけで、この地域、例えば国に対応した設定値を簡単に遠隔設定することができる。
【００３１】
本発明の系統連系装置用設定装置によれば、系統側コンセントとのアダプタ接続を通じて地域データを検出すると、この地域データを系統連系装置自体の現在地域として識別するようにした、つまり国毎にコンセントの嵌合面形状の規格が異なるため、この規格を利用して現在地域、例えば現在国を識別するようにしたので、系統側コンセントとアダプタ接続するだけで、この地域、例えば国に対応した設定値を簡単に設定することができる。
【００３２】
また、上記目的を達成するために本発明の系統連系装置の設定値設定方法によれば、地域毎に、系統保護に関わる設定値を予め記憶しておき、系統連系装置自体の現在地域を識別すると、この現在地域に対応した、前記系統保護に関わる設定値を読み出し、この読み出した設定値を設定するようにしたので、例えば国や電力会社に対応した設定値が記憶してあれば、複雑な設定操作を行わなくても、その地域に対応した設定値を系統連系装置に簡単に設定することができる。
【発明を実施するための最良の形態】
【００３３】
以下、図面に基づいて本発明の系統連系装置における実施の形態を示す系統連系システムについて説明する。図１は本実施の形態を示す系統連系システム内部の概略構成を示すブロック図である。
【００３４】
図１に示す系統連系システム１は、例えば太陽電池等のエネルギー供給源（ＰＶ等）２と、商用の交流系統３と、これらエネルギー供給源２及び交流系統３間に配置され、このエネルギー供給源２からの電力を交流電力に変換し、この交流電力を図示せぬ家電製品等の負荷に供給すると共に、余剰の交流電力を交流系統３に供給する系統連系装置４とを有している。
【００３５】
尚、負荷は、系統連系装置４からの電力供給を受けているが、系統連系装置４の出力電力が負荷の駆動電力に満たない場合には、系統連系装置４からの電力供給に加え、交流系統３からの電力供給を受けるようにしている。
【００３６】
系統連系装置４は、エネルギー供給源２からの電力を交流電力に変換するインバータ回路１１と、このインバータ回路１１の出力電圧や出力周波数等を検知するセンサ部１２と、インバータ回路１１と交流系統３とを連系するリレースイッチ１３と、様々な情報を表示する表示回路１４と、様々な情報を音声出力する音声出力回路１５と、様々な情報を記憶管理するメモリ部１６と、この系統連系装置４全体を制御する制御回路１７とを有している。
【００３７】
さらに系統連系装置４は、図示せぬＧＰＳ衛星からＧＰＳデータを受信して、このＧＰＳデータから現在位置の国を示す国コードを検出するＧＰＳ受信部１８と、国コードを入力する国コード入力部１９と、各設定値を入力する設定値入力部２０とを有している。
【００３８】
また、メモリ部１６には、図２に示すように国別に設定値、例えばインバータ回路１１の出力周波数に関わる最大許容値（ＯＦ）及び最小許容値（ＵＦ）や出力電圧に関わる最大許容値（ＯＶ）及び最小許容値（ＵＶ）等の連系保護値を記憶管理した国別設定値管理テーブル１６Ａが登録してある。
【００３９】
尚、国別設定値管理テーブル１６Ａには、図示せぬが、これら出力周波数の最大許容値（ＯＦ）及び最小許容値（ＵＦ）や出力電圧の最大許容値（ＯＶ）及び最小許容値（ＵＶ）の他に、系統インピーダンス感度、絶縁抵抗の検出レベル、整定値、整定時間の連系保護値や、使用言語のフォント情報、ＥＮＳの有無等の系統保護に関する情報や地域情報の設定値が記憶管理されているものとする。
【００４０】
国別の設定値は、図２に示すように国の規格に応じて異なっており、例えばインバータ回路１１の出力電圧の最大許容値（ＯＶ）を例に挙げれば、例えばドイツは２５３Ｖであるのに対し、日本は１１５Ｖということになる。
【００４１】
図３は連系系統装置４の制御回路１７内部の概略構成を示すブロック図である。
【００４２】
図３に示す制御回路１７は、ＧＰＳ受信部１８又は国コード入力部１９を通じて国コードを識別する国コード識別部３１と、この国コード識別部３１にて国コードを識別すると、この国コードに対応した設定値を国別設定値管理テーブル１６Ａから読み出し、この読み出した設定値を設定する設定値設定部３２と、音声出力回路１５を通じて警報情報を出力制御する警報出力制御部３３と、この制御回路１７全体、すなわち系統連系装置４全体を制御する制御部３４とを有している。
【００４３】
また、国コード識別部３１は、ＧＰＳ受信部１８を通じて系統連系装置４の現在位置の国コードを認識しているため、ＧＰＳ受信部１８を通じて、現在設定済みの国コードが実際に合致しているか否かを判定する国コード判定部３１Ａを有している。尚、ＧＰＳ受信部１８では、実際に系統連系装置４が所在する国コードが正確に受信できることを前提とするものである。
【００４４】
制御部３４は、設定値設定部３２にて国コードに対応した設定値を設定すると、表示回路１４に同国コードに対応した設定状況を表示するものである。尚、ユーザは、表示回路１４に表示中の表示内容に基づいて、現在の設定状況を認識することができるものである。
【００４５】
尚、請求項記載の設定手段は設定値設定部３２、制御手段は制御部３４、記憶手段は国別設定値管理テーブル１６Ａ、地域識別手段は国コード識別部３１、入力手段は国コード入力部１９、ＧＰＳ受信手段はＧＰＳ受信部１８、地域データ判定手段は国コード判定部３１Ａ、警報出力手段は警報出力制御部３３、系統は交流系統３に相当するものである。
【００４６】
次に本実施の形態を示す系統連系システム１の動作について説明する。図４は系統連系装置４の国別設定値設定処理に関わる制御回路１７内部の処理動作を示すフローチャートである。
【００４７】
図４に示す国別設定値設定処理は、系統連系装置４が使用する国コードを識別し、この国コードに対応した設定値を系統連系装置４に自動設定する処理である。
【００４８】
図４において制御回路１７は、国別設定値設定処理の起動動作を開始すると、国コード入力部１９を通じて国コードの入力を監視する国コード入力監視タイマをスタートする(ステップＳ１１)。
【００４９】
制御回路１７は、国コード入力部１９を通じて国コードを入力したか否かを判定する(ステップＳ１２)。
【００５０】
制御回路１７の国コード識別部３１は、国コード入力部１９を通じて国コードを入力すると、この国コードを系統連系装置４の使用国として設定し（ステップＳ１３）、さらに、ＧＰＳ受信部１８を通じてＧＰＳ衛星からのＧＰＳデータを受信し、このＧＰＳデータから国コードを検出したか否かを判定する(ステップＳ１４)。
【００５１】
国コード識別部３１の国コード判定部３１Ａは、ＧＰＳ受信部１８を通じて国コードを検出したのであれば、設定済みの国コードとＧＰＳ受信部１８にて検出した国コードとが一致するか否か、すなわち、設定済みの国コードが正しいか否かを判定する(ステップＳ１５)。
【００５２】
制御回路１７の設定値設定部３２は、設定済みの国コードとＧＰＳ受信部１８に検出した国コードとが一致していると判定されると、設定済みの国コードが正しいものと判断し、この国コードに対応した設定値を国別設定値管理テーブル１６Ａから検索するための検索動作を開始する（ステップＳ１６）。
【００５３】
設定値設定部３２は、国コードに対応した設定値の検索動作を開始すると、この国コードに対応した設定値が国別設定値管理テーブル１６Ａ内にあるか否かを判定する(ステップＳ１７)。
【００５４】
設定値設定部３２は、国コードに対応した設定値があると判定されると、この設定値を国別設定値管理テーブル１６Ａから読み出し（ステップＳ１８）、この読み出した設定値を制御部３４に設定する(ステップＳ１９)。
【００５５】
制御部３４は、この設定された設定値に基づいて、例えば図５に示す過電圧保護処理等の様々な制御動作を実行し（ステップＳ２０）、この国別設定値設定処理の処理動作を終了する。
【００５６】
また、国コード識別部３１は、ステップＳ１２にて国コードが入力されたのでなければ、ステップＳ１１にてスタートした国コード入力監視タイマがタイムアップしたか否かを判定する(ステップＳ２１)。
【００５７】
国コード識別部３１は、国コード入力監視タイマがタイムアップしたのでなければ、国コードの入力を監視すべく、ステップＳ１２に移行する。
【００５８】
また、国コード識別部３１は、ステップＳ２１にて国コード入力監視タイマがタイムアップしたのであれば、国コードが設定済みであるか否かを判定する（ステップＳ２２）。尚、ステップＳ２２の国コードが設定済みの場合とは、前回に設定した国コードが残っている場合である。
【００５９】
国コード識別部３１は、国コードが設定済みであれば、ＧＰＳ受信部１８にて国コードを検出すべく、ステップＳ１４に移行する。
【００６０】
また、国コード識別部３１は、ステップＳ２２にて国コードが設定済みでなければ、ＧＰＳ受信部１８を通じて国コードを検出した否かを判定する(ステップＳ２３)。
【００６１】
国コード識別部３１は、国コードを検出したのであれば、この検出した国コードを設定し（ステップＳ２４）、この国コードに対応した設定値を検索すべく、ステップＳ１６に移行する。
【００６２】
また、国コード識別部３１は、ステップＳ２３にて国コードを検出したのでなければ、ＧＰＳ受信部１８による国コードの検出を監視すべく、受信監視タイマをスタートし（ステップＳ２５）、この受信監視タイマがタイムアップしたか否かを判定する(ステップＳ２６)。
【００６３】
国コード識別部３１は、受信監視タイマがタイムアップしたのであれば、ＧＰＳ受信部１８からも国コードを検出することができない、すなわち国コードを設定することができないため、この国別設定値設定処理の処理動作を終了する。
【００６４】
国コード識別部３１は、ステップＳ２６にて受信監視タイマがタイムアップしたのでなければ、国コードの検出を監視すべく、ステップＳ２３に移行する。
【００６５】
国コード識別部３１は、ステップＳ１４にて国コードを検出したのでなければ、受信監視タイマをスタートし（ステップＳ２７）、この受信監視タイマがタイムアップしたか否かを判定する（ステップＳ２８）。
【００６６】
国コード識別部３１は、受信監視タイマがタイムアップしたのであれば、設定済みの国コードに対応した設定値を検索すべく、ステップＳ１６に移行する。
【００６７】
また、国コード識別部３１は、ステップＳ２８にて受信監視タイマがタイムアップしたのでなければ、国コードの検出を監視すべく、ステップＳ１４に移行する。
【００６８】
また、制御回路１７の警報出力制御部３３は、ステップＳ１５にて設定済みの国コードとＧＰＳ受信部１８にて検出した国コードが同一でなければ、設定済みの国コードと使用する国とが異なるものと判断し、その旨を警告情報として、表示回路１４に表示、又は音声出力回路１５に音声出力させるべく、警報出力動作を実行する（ステップＳ２９）。尚、ユーザは、その警告情報に基づいて、設定済みの国コードが実際の系統連系装置４の使用国とは異なっていることを認識することができる。
【００６９】
国コード識別部３１は、ステップＳ２９にて警報情報を音声出力後、この国別設定値設定処理の処理動作を終了する。尚、ステップＳ２９にて警報情報を音声出力後、この国別設定値設定処理の処理動作を終了するようにしたが、例えば設定値入力部２０を通じて設定値を入力させる設定値入力モードに移行し、この設定値入力モードにて設定値を入力後、この設定値に基づく制御動作を実行すべく、ステップＳ２０に移行するようにしても良い。また、同様に、ＧＰＳ受信部１８にて検出した国コードを新たに設定し、この国コードに対応した設定値を検索すべく、ステップＳ１６に移行するようにしても良い。
【００７０】
また、設定値設定部３２は、ステップＳ１７にて国コードに対応した設定値がなければ、設定値入力部２０を通じて設定値を入力させる設定値入力設定モードに移行し（ステップＳ３１）、この設定値入力設定モードにて設定値を入力後、この設定値に基づく制御動作を実行すべく、ステップＳ２０に移行する。尚、設定値入力設定モードとは、図示せぬが、設定値入力部２０にて設定値をマニュアル入力するための動作モードである。
【００７１】
図４に示す国別設定値設定処理によれば、系統連系装置４が使用する国コードを識別し、この国コードに対応した設定値を国別設定値管理テーブル１６Ａから読み出し、この読み出した設定値を制御部３４に設定するようにしたので、簡単に系統連系装置４の使用国に対応した設定値を設定することができる。
【００７２】
次に、このように使用国に対応した設定値を系統連系装置４に設定した後、この設定した設定値、例えばインバータ回路１１の出力電圧に関わる最大許容量を監視する過電圧保護処理について説明する。図５は過電圧保護処理に関わる制御回路１７内部の処理動作を示すフローチャートである。
【００７３】
図５に示す過電圧保護処理とは、センサ部１２を通じてインバータ回路１１の出力電圧を監視し、この監視結果が設定値、すなわち最大許容値以上であるか否かを判定し、その監視結果が最大許容値以上であると判定されると、過電圧の発生を認識し、系統連系装置４自体が異常であると判断し、リレースイッチ１３をＯＦＦ制御することで、交流系統３との接続を遮断する処理である。
【００７４】
図５において制御回路１７は、センサ部１２を通じてインバータ回路１１の出力電圧を系統電圧値として検出する（ステップＳ４１）。
【００７５】
制御回路１７は、設定値、すなわちインバータ回路１１の出力電圧に関わる最大許容値（ＯＶ）からステップＳ４１にて検出した系統電圧値を減算し(ステップＳ４２)、その減算結果ΔＣＰＵがゼロ以上であるか否かを判定する(ステップＳ４３)。
【００７６】
制御回路１７は、その減算結果ΔＣＰＵがゼロ以上であると判定すると、系統連系装置４が正常であると認識し（ステップＳ４４）、この処理動作を終了する。
【００７７】
また、制御回路１７は、その減算結果ΔＣＰＵがゼロ以上でないと判定されると、系統連系装置４が過電圧、すなわち異常であると認識し（ステップＳ４５）、リレースイッチ１３をＯＦＦ制御して、交流系統３との接続を遮断することで系統連系の運転を停止し（ステップＳ４６）、この処理動作を終了する。
【００７８】
図５に示す過電圧保護処理によれば、インバータ回路１１の出力電圧を監視し、この監視結果が設定値、すなわち最大許容値以上であるか否かを判定し、その監視結果が最大許容値以上であると判定されると、系統連系装置４自体が異常であると判断し、リレースイッチ１３をＯＦＦ制御することで、交流系統３との接続を遮断するようにしたので、インバータ回路１１の過電圧による系統連系装置４の異常を確実に防止することができる。
【００７９】
本実施の形態によれば、国毎に、系統保護に関わる設定値を国別設定値管理テーブル１６Ａに予め記憶しておき、系統連系装置４自体の使用国を識別すると、この使用国に対応した系統保護に関わる設定値を国別設定値管理テーブル１６Ａから読み出し、この読み出した設定値を制御部３４に設定するようにしたので、国別設定値管理テーブル１６Ａ内に国に対応した設定値が記憶してあれば、複雑な設定操作を行わなくても、その国に対応した設定値を系統連系装置４に簡単に設定することができる。
【００８０】
また、本実施の形態によれば、国コード入力部１９を通じて国コードを入力すると、この国コードを系統連系装置４の使用国として識別するようにしたので、国コードを入力するだけで、使用国に対応した設定値を簡単に設定することができる。
【００８１】
さらに、本実施の形態によれば、ＧＰＳ受信部１８にて国コードを検出すると、この国コードが、国コード入力部１９にて入力した国コードと同一であるか否かを判定し、この国コードが同一でなければ、警報情報を出力するようにしたので、ＧＰＳ（グローバルポジショニングシステム）で得られる国コードが現在使用国として認識することを前提にすれば、ユーザは、この警報情報の出力に基づいて、国コード入力部１９にて入力した国コードが現在使用国ではないことを認識することができる。
【００８２】
本実施の形態によれば、ＧＰＳ受信部１８にて国コードを検出すると、この国コードを系統連系装置４自体の現在使用国として識別するようにしたので、ＧＰＳ受信部１８を通じて国コードを検出するだけで、国コードに対応した設定値を簡単に自動設定することができる。
【００８３】
尚、上記実施の形態においては、国コード入力部１９にて国コードを入力した後、ＧＰＳ受信部１８及び国コード判定部３１Ａを使用して現在使用国をチェックし、最終的にＧＰＳ受信部１８にて検出した国コードを現在使用国として自動的に設定するようにしたが、現在使用国で他国の設定値を設定して試験を行うような場合、例えばドイツでオーストリアの設定値を設定して試験を行うような場合も考えられる。
【００８４】
そこで、このような場合には、国コード判定部３１Ａの判定結果に関係なく、ＧＰＳ受信部１８にて検出した国コードを設定するのではなく、設定済みの国コードを維持するようにしたので、現在使用国で他国の設定値を系統連系装置４に設定するような試験にも対応することができる。
【００８５】
また、上記実施の形態においては、例えば国コード入力部１９又はＧＰＳ受信部１８にて使用国の国コードを取得するようにしたが、これら国コード入力部１９及びＧＰＳ受信部１８の内、どちらか一方だけを用いるようにしても良く、さらにはＤＩＰスイッチ等で国コードを入力するようにしても良い。
【００８６】
また、上記実施の形態においては、図６及び図７に示すように、例えば国毎に交流系統３側とのコンセント３Ａの嵌合部の形状が規格で異なることに着目し、このコンセント３Ａの嵌合部と嵌合する系統連系装置４側のコンセントアダプタ４Ａの接続状態に応じて、現在の使用国に対応した国コードを取得するようにしても良い。
【００８７】
系統連系装置４側のコンセントアダプタ４Ａの嵌合面は、図７（ａ）に示すように、各国の交流系統３のコンセント３Ａと嵌合接続可能な穴形状を有し、例えばドイツの交流系統３のコンセント３Ａと嵌合接続する場合には図７(ｂ)に示す斜線部分を嵌合穴として使用し、例えば日本の交流系統３のコンセント３Ａと嵌合接続する場合には図７（ｃ）に示す斜線部分を嵌合穴として使用するものである。
【００８８】
系統連系装置４の制御回路１７は、交流系統３側のコンセント３Ａとコンセントアダプタ４Ａと嵌合接続することで、このコンセントアダプタ４Ａの嵌合穴の使用状況に応じて現在の使用国に対応した国コードを認識するようにした、つまり国毎にコンセント３Ａの嵌合面の形状の規格が異なるため、この規格を利用して現在国を識別するようにしたので、交流系統３側のコンセント３Ａとコンセントアダプタ４Ａとを嵌合接続するだけで、国に対応した設定値を簡単に設定することができる。
【００８９】
また、上記実施の形態においては、国毎の設定値を記憶管理する国別設定値管理テーブル１６Ａや、国コードを取得するＧＰＳ受信部１８及び国コード入力部１９を系統連系装置４に設けるようにしたが、例えば系統連系装置４と通信接続する外部設定装置を設け、この外部設定装置からの設定操作で国に対応した設定値を系統連系装置４に設定するようにしても良い。
【００９０】
では、このような外部設定装置を備えた他の実施の形態を示す系統連系システムについて説明する。図８は他の実施の形態を示す系統連系システム内部の概略構成を示すブロック図である。図１に示す系統連系システム１と同一の構成については、同一符号を付すことで、その重複する構成及び動作の説明については省略する。
【００９１】
図８に示す系統連系システム１Ａは、系統連系装置４と通信接続する外部設定装置４０を有し、この外部設定装置４０は、遠隔操作で、系統連系装置４の使用国に対応した設定値を系統連系装置４に設定するものである。尚、この外部設定装置４０は、例えばパソコンや携帯電話機等の端末装置である。
【００９２】
外部設定装置４０は、国コードを入力する外部側国コード入力部４１と、国毎に、設定値を記憶管理した外部側国別設定値管理テーブル４２と、系統連系装置４と通信接続した外部側通信回路４３と、この外部設定装置４０全体を制御する外部側制御回路４４とを有している。
【００９３】
系統連系装置４は、外部設定装置４０の外部側通信回路４３と通信接続する通信回路２１を有している。
【００９４】
尚、請求項記載の系統連系装置用設定装置は外部設定装置４０、通信接続手段は外部側通信回路４３、記憶手段は外部側国別設定値管理テーブル４２、地域識別手段、設定手段及び地域データ判定手段は外部側制御回路４４、入力手段は外部側国コード入力部４１に相当するものである。
【００９５】
外部設定装置４０は、外部側国コード入力部４１を通じて国コードを入力すると、この国コードに対応した設定値を外部側国別設定値管理テーブル４２から読み出し、この国コードに対応した設定値を、外部側通信回路４３を通じて系統連系装置４に伝送する。
【００９６】
系統連系装置４の制御回路１７は、通信回路２１を通じて、外部設定装置４０からの設定値を受信すると、この設定値を設定することになる。
【００９７】
図８に示す系統連系システム１Ａによれば、外部設定装置４０から任意国コードに対応した設定値を系統連系装置４に外部設定できるようにしたので、外部設定装置４０からの遠隔操作で系統連系装置４の設定値を簡単に設定することができる。
【００９８】
尚、図８に示す系統連系システム１Ａによれば、系統連系装置４内部に国別設定値管理テーブル１６Ａを設けているが、外部設定装置４０にも同一内容の外部側国別設定値管理テーブル４２を設けていることから、系統連系装置４内部の国別設定値管理テーブル１６Ａを削除するようにしてもよく、この場合には、その系統連系装置４内部のメモリ負担を大幅に軽減することができる。
【００９９】
また、上記実施の形態においては、外部設定装置４０に外部側国コード入力部４１を設け、この外部側国コード入力部４１で系統連系装置４の使用国に対応した国コードを識別するようにしたが、例えば外部設定装置４０自体にＧＰＳ受信部を設け、このＧＰＳ受信部にて国コードを検出したり、外部設定装置４０に交流系統３のコンセントと嵌合接続するコンセントアダプタを設け、このコンセントアダプタの使用状況に応じて国コードを識別するようにしても良いことは言うまでもない。
【０１００】
上記実施の形態においては、国コード単位で設定値を記憶管理するようにしたが、地域や電力会社単位で設定値が異なるのであれば、これら地域や電力会社単位で設定値を記憶管理してもよく、この場合には、簡単な操作で地域や電力会社に対応した設定値を系統連系装置４に設定することができる。例えばアメリカ国内だけでも地域、例えば州毎に設定値が異なる、例えばカリフォルニア州とノースカロライナ州とで設定値が全く異なる。
【０１０１】
また、上記実施の形態においては、国コード入力部１９を通じて国コードや設定値入力部２０を通じて設定値をユーザ側で入力できるようにしたが、誰でも国コードや設定値を入力できるようにすると、何らかの弊害を招くおそれがあるため、例えばパスワード等で国コード入力部１９や設定値入力部２０の入力操作がむやみにできないようにしても良い。
【産業上の利用可能性】
【０１０２】
本発明の系統連系装置、系統連系装置の設定値設定方法及び系統連系装置用設定装置は、地域毎に、系統保護に関わる設定値を予め記憶しておき、系統連系装置自体の現在地域を識別すると、この現在地域に対応した、前記系統保護に関わる設定値を読み出し、この読み出した設定値を系統連系装置自体に設定するようにしたので、地域毎に設定値が異なる系統連系装置を使用した系統連系システムに有用である。
【図面の簡単な説明】
【０１０３】
【図１】本発明の系統連系装置における実施の形態を示す系統連系システム全体の概略構成を示すブロック図である。
【図２】本実施の形態に関わる国別設定値管理テーブル内部のテーブル内容を端的に示す説明図である。
【図３】本実施の形態に関わる系統連系装置内部の要部である制御回路内部の概略構成を示すブロック図である。
【図４】本実施の形態に関わる系統連系装置の国別設定値設定処理に関わる制御回路内部の処理動作を示すフローチャートである。
【図５】本実施の形態に関わる系統連系装置の過電圧保護処理に関わる制御回路内部の処理動作を示すフローチャートである。
【図６】本実施の形態に関わる系統連系装置の他の国コード識別方法を端的に示す説明図である。
【図７】本実施の形態に関わる系統連系装置のコンセントアダプタの正面図である。ａ）コンセントアダプタの正面図ｂ）ドイツで使用する場合ｃ）日本で使用する場合
【図８】他の実施の形態を示す系統連系システム内部の概略構成を示すブロック図である。
【符号の説明】
【０１０４】
３  交流系統（系統）
４  系統連系装置
１６Ａ  国別設定値管理テーブル（記憶手段）
１８  ＧＰＳ受信部（ＧＰＳ受信手段）
１９  国コード入力部（入力手段）
３１  国コード識別部（地域識別手段）
３１Ａ  国コード判定部（地域データ判定手段）
３２  設定値設定部（設定手段）
３３  警報出力制御部（警報出力手段）
３４  制御部（制御手段）
４０  外部設定装置（系統連系装置用設定装置）
４１  外部側コード入力部（入力手段）
４２  外部側国別設定値管理テーブル（記憶手段）
４３  外部側通信回路（通信接続手段）
４４  外部側制御回路（地域識別手段、設定手段、地域データ判定手段）
【図１】
2005057943.tif 000003
【図２】
2005057943.tif 000004
【図３】
2005057943.tif 000005
【図４】
2005057943.tif 000006
【図５】
2005057943.tif 000007
【図６】
2005057943.tif 000008
【図７】
2005057943.tif 000009
【図８】
2005057943.tif 000010